(57)【要約】【課題】グリップ重量等の調整及びグリップ交換が容易とされたゴルフクラブの提供。【解決手段】ヘッド４、シャフト６及びグリップ８を備えたゴルフクラブ２である。グリップ８は、内側グリップ部材１０と外側グリップ部材１２とを有している。内側グリップ部材１０は、円筒状のシャフト挿入部１４を有している。外側グリップ部材１２は、シャフト挿入部１４の外面２４を覆っている。外側グリップ部材１２は、半管状とされた第一の分割体１６と、半管状とされた第二の分割体１８とを有している。外側グリップ部材１２は、取り外し可能な状態でシャフト挿入部１４の外面２４に装着されている。好ましくは、内側グリップ部材１０の材質は、ゴムである。好ましくは、外側グリップ部材１２の材質は、ゴムである。グリップエンド側端４４は、第一円筒部３４により保護されている。ヘッド側端４６は、第二円筒部４０により保護されている。【選択図】図３
2009066272.tif 000002
【特許請求の範囲】
【請求項１】
ヘッド、シャフト及びグリップを備え、
上記グリップが、円筒状のシャフト挿入部を有する内側グリップ部材と、上記シャフト挿入部の外面を覆う外側グリップ部材とを有し、
上記外側グリップ部材が、半管状とされた２つの分割体を有し、
上記外側グリップ部材が、取り外し可能な状態で上記シャフト挿入部の外面に装着されているゴルフクラブ。
【請求項２】
上記内側グリップ部材が、上記シャフト挿入部のグリップエンド側端から半径方向外側に延在する第一環状部と、この第一環状部の半径方向外側縁からヘッド側に延在する第一円筒部とを有し、上記第一環状部と上記第一円筒部とにより、上記第一環状部を底とする第一凹部が形成されており、
更に、上記内側グリップ部材が、上記シャフト挿入部のヘッド側端から半径方向外側に延在する第二環状部と、この第二環状部の半径方向外側縁からグリップエンド側に延在する第二円筒部とを有し、上記第二環状部と上記第二円筒部とにより、上記第二環状部を底とする第二凹部が形成されており、
上記外側グリップ部材のグリップエンド側端が上記第一凹部に挿入されており、
上記外側グリップ部材のヘッド側端が上記第二凹部に挿入されている請求項１に記載のゴルフクラブ。
【請求項３】
ヘッド、シャフト及びグリップを備え、
上記グリップが、円筒状のシャフト挿入部を有する内側グリップ部材と、上記シャフト挿入部の外面を覆いうる外側グリップ部材とを有し、
上記外側グリップ部材が、半管状とされた２つの分割体を有し、
上記外側グリップ部材が、取り外し可能な状態で上記シャフト挿入部の外面に装着されうるように構成されており、
上記外側グリップ部材が２種以上用意され、これらの外側グリップ部材は互いに比重又は硬度が異なるゴルフクラブ。
【請求項４】
円筒状のシャフト挿入部を有する内側グリップ部材と、上記シャフト挿入部の外面を覆いうる外側グリップ部材とを有し、
上記外側グリップ部材が、半管状とされた２つの分割体を有し、
上記外側グリップ部材が、取り外し可能な状態で上記シャフト挿入部の外面に装着されうるように構成されているゴルフクラブ用グリップ。
【発明の詳細な説明】
【技術分野】
【０００１】
本発明は、ゴルフクラブ及びゴルフクラブ用グリップに関する。
【背景技術】
【０００２】
ゴルフクラブには、グリップが装着されている。グリップの重量は、ゴルフクラブのクラブバランス（スイングバランス）を変動させる。グリップ重量により、クラブバランスが調整されうる。通常、グリップ重量を調整するためには、グリップ交換が必要である。また、グリップが摩滅した場合、グリップの交換が必要である。
【０００３】
グリップ交換は、多大な労力を必要とする。特開平７−２０４３０３号公報は、互いに連結された複数の縦割りにした部材よりなるゴルフグリップを開示する。この公報には、縦割り構造によりグリップの離脱が簡単となる旨が記載されている。
【特許文献１】特開平７−２０４３０３号公報
【発明の開示】
【発明が解決しようとする課題】
【０００４】
上記文献のグリップでは、断面形状が角型であるので、通常のグリップとしては使用できない。またグリップ交換の容易性に関しても改善の余地がある。
【０００５】
本発明の目的は、グリップ重量等の調整及びグリップ交換が容易とされたゴルフクラブの提供にある。
【課題を解決するための手段】
【０００６】
本発明に係るゴルフクラブは、ヘッド、シャフト及びグリップを備えている。上記グリップは、円筒状のシャフト挿入部を有する内側グリップ部材と、上記シャフト挿入部の外面を覆う外側グリップ部材とを有している。上記外側グリップ部材は、半管状とされた２つの分割体を有している。上記外側グリップ部材は、取り外し可能な状態で上記シャフト挿入部の外面に装着されている。
【０００７】
好ましくは、上記内側グリップ部材は、上記シャフト挿入部のグリップエンド側端から半径方向外側に延在する第一環状部と、この第一環状部の半径方向外側縁からヘッド側に延在する第一円筒部とを有している。上記第一環状部と上記第一円筒部とにより、上記第一環状部を底とする第一凹部が形成されている。好ましくは、上記内側グリップ部材は、上記シャフト挿入部のヘッド側端から半径方向外側に延在する第二環状部と、この第二環状部の半径方向外側縁からグリップエンド側に延在する第二円筒部とを有している。上記第二環状部と上記第二円筒部とにより、上記第二環状部を底とする第二凹部が形成されている。好ましくは、上記外側グリップ部材のグリップエンド側端が上記第一凹部に挿入されており、上記外側グリップ部材のヘッド側端が上記第二凹部に挿入されている。
【０００８】
本発明に係る他のゴルフクラブは、ヘッド、シャフト及びグリップを備えている。上記グリップは、円筒状のシャフト挿入部を有する内側グリップ部材と、上記シャフト挿入部の外面を覆いうる外側グリップ部材とを有している。上記外側グリップ部材は、半管状とされた２つの分割体を有している。上記外側グリップ部材は、取り外し可能な状態で上記シャフト挿入部の外面に装着されうるように構成されている。上記外側グリップ部材は２種以上用意され、これらの外側グリップ部材は互いに比重又は硬度が異なっている。
【０００９】
本発明に係るグリップは、円筒状のシャフト挿入部を有する内側グリップ部材と、上記シャフト挿入部の外面を覆いうる外側グリップ部材とを有している。上記外側グリップ部材は、半管状とされた２つの分割体を有している。上記外側グリップ部材は、取り外し可能な状態で上記シャフト挿入部の外面に装着されうるように構成されている。
【発明の効果】
【００１０】
半管状の外側グリップ部材が内側グリップ部材を覆う構成としたので、グリップ交換が容易とされうる。
【発明を実施するための最良の形態】
【００１１】
以下、適宜図面が参照されつつ、好ましい実施形態に基づいて本発明が詳細に説明される。
【００１２】
図１は、本発明の一実施形態に係るゴルフクラブ２の全体図である。ゴルフクラブ２は、ゴルフクラブヘッド４、ゴルフクラブシャフト６及びゴルフクラブ用グリップ８を有する。ヘッド４は、シャフト６の一端部に取り付けられている。グリップ８は、シャフト６の他端部に取り付けられている。
【００１３】
ヘッド４は、限定されない。ヘッド４として、ウッド型ヘッド、アイアン型ヘッド及びパターヘッドが例示される。シャフト６は、限定されない。シャフト６として、いわゆるスチールシャフト及びいわゆるカーボンシャフトが例示される。
【００１４】
図２は、図１におけるグリップ８部分の拡大図であり、図３は図２の断面図であり、図４は図２のIV−IV線に沿った断面図である。
【００１５】
図３及び図４が示すように、シャフト６は、管状である。シャフト６の内部は、空洞である。
【００１６】
グリップ８は、内側グリップ部材１０と、外側グリップ部材１２とを有する。内側グリップ部材１０は、円筒状のシャフト挿入部１４を有する。図３及び図４が示すように、このシャフト挿入部１４の内部にシャフト６が挿入されている。図３が示すように、シャフト挿入部１４の外径は、ヘッド４側にいくにつれて小さくされている。図３が示すように、シャフト挿入部１４の厚さ（半径方向厚さ）は、ヘッド４側にいくにつれて小さくされている。シャフト挿入部１４の内周面１５は、シャフト挿入穴を構成している。
【００１７】
内側グリップ部材１０は、エンド部１７を有している。このエンド部１７に、シャフト６の端面１９が突き当てられている。またエンド部１７の中心には、貫通孔２１が設けられている。
【００１８】
外側グリップ部材１２は、第一の分割体１６と、第二の分割体１８とを有する。図５は、第一の分割体１６の斜視図である。第一の分割体１６は、半管状である。第二の分割体１８も、半管状である。第一の分割体１６と第二の分割体１８とにより、管状の外側グリップ部材１２が形成されている。図４及び図５が示すように、第一の分割体１６の縁には、段差部２０が設けられている。図４が示すように、第二の分割体１８の縁には、段差部２２が設けられている。段差部の形状を除き、第二の分割体１８の形状は、第一の分割体１６と同じである。
【００１９】
外側グリップ部材１２において、第一の分割体１６の段差部２０と第二の分割体１８の段差部２２とが突き合わされている。段差部２０と段差部２２とは互いに噛み合っている。外側グリップ部材１２は、第一の分割体１６と第二の分割体１８とが重複した重複部を有する。段差部２０及び段差部２２は、第一の分割体１６と第二の分割体１８とが重複した重複部を形成する。この重複部を含め、外側グリップ部材１２の厚さは、周方向の全周において一定とされている。外側グリップ部材１２において、第一の分割体１６と第二の分割体１８とが突き合わされた部分に、隙間は存在しない。第一の分割体１６と第二の分割体１８との組み合わせにより、外側グリップ部材１２は円筒状とされている。
【００２０】
外側グリップ部材１２は、シャフト挿入部１４の外面２４を覆っている。外側グリップ部材１２は、外面２４の少なくとも一部を覆っている。好ましくは、外側グリップ部材１２は、外面２４の全部を覆っているのがよい。
【００２１】
図３が示すように、外側グリップ部材１２の内径は、ヘッド４側にいくほど小さくされている。図３が示すように、外側グリップ部材１２の外径は、ヘッド４側にいくほど小さくされている。
【００２２】
外側グリップ部材１２の厚さは、一定である。外側グリップ部材１２の厚さが、ヘッド４側にいくほど小さくされていてもよい。
【００２３】
外側グリップ部材１２の内面２６は、第一の分割体１６の内面２８と、第二の分割体１８の内面３０とから構成されている。外側グリップ部材１２の内面２６は、第一の分割体１６の内面２８は、シャフト挿入部１４の外面２４に貼り付けられている。第二の分割体１８の内面３０は、シャフト挿入部１４の外面２４に貼り付けられている。
【００２４】
図３が示すように、内側グリップ部材１０は、シャフト挿入部１４のグリップエンド側端から半径方向外側に延在する第一環状部３２と、この第一環状部３２の半径方向外側縁からヘッド側に延在する第一円筒部３４とを有する。第一環状部３２は、単一の環状部分である。第一円筒部３４は、単一の円筒状部分である。第一環状部３２と第一円筒部３４とにより、第一環状部３２を底とする第一凹部３６が形成されている。
【００２５】
図３が示すように、内側グリップ部材１０は、シャフト挿入部１４のヘッド側端から半径方向外側に延在する第二環状部３８と、この第二環状部３８の半径方向外側縁からグリップエンド側に延在する第二円筒部４０とを有する。第二環状部３８は、単一の環状部分である。第二円筒部４０は、単一の円筒状部分である。第二環状部３８と第二円筒部４０とにより、第二円筒部４０を底とする第二凹部４２が形成されている。
【００２６】
図３が示すように、外側グリップ部材１２は、グリップエンド側端４４を有している。第一の分割体１６及び第二の分割体１８のそれぞれがグリップエンド側端４４を有している。このグリップエンド側端４４が第一凹部３６に挿入されている。このグリップエンド側端４４は、第一円筒部３４により覆われている。グリップエンド側端４４は、第一円筒部３４により保護されている。グリップエンド側端４４は、外部に露出していないので、めくれにくい。よって、第一の分割体１６及び第二の分割体１８は、剥がれにくい。
【００２７】
外側グリップ部材１２は、ヘッド側端４６を有している。第一の分割体１６及び第二の分割体１８のそれぞれがヘッド側端４６を有している。このヘッド側端４６が上記第二凹部に挿入されている。ヘッド側端４６は、第二円筒部４０により覆われている。ヘッド側端４６は、第二円筒部４０により保護されている。ヘッド側端４６は、外部に露出していないので、めくれにくい。よって、第一の分割体１６及び第二の分割体１８は、剥がれにくい。
【００２８】
内側グリップ部材１０は、その全体が一体成形されている。第一環状部３２及び第一円筒部３４は、シャフト挿入部１４と一体である。第二環状部３８及び第二円筒部４０は、シャフト挿入部１４と一体である。
【００２９】
内側グリップ部材１０の内周面１５とシャフト６の外面５０とは、両面テープにより接着されている。シャフト６への内側グリップ部材１０の取り付けは、一般的なグリップの取り付けと同様になされる。この取り付けの手順は、例えば下記の通りである。
（１ａ）シャフト６の外面５０に両面テープを貼り付け、この両面テープの離型紙を剥がす。
（２ａ）上記両面テープの表面及び／又は上記内側グリップ部材１０の内周面１５を溶剤で濡らす。この溶剤処理により、両面テープの粘着性を一時的に低下させる。なお溶剤としては、ホワイトガソリンや新日本石油化学社製の商品名「アイソゾール」等が用いられうる。
（３ａ）内側グリップ部材１０のシャフト挿入孔にシャフト６を挿入する。両面テープの表面を滑らせつつ内側グリップ部材１０にシャフト６が挿入される。
【００３０】
上記工程（３ａ）の後、溶剤は自然に蒸発する。この蒸発により、両面テープの粘着性が復活し、内側グリップ部材１０とシャフト６とが両面テープで接着される。
【００３１】
外側グリップ部材１２の内面２６とシャフト挿入部１４の外面２４とは、両面テープにより接着されている。換言すれば、第一の分割体１６の内面２８と外面２４とが両面テープにより接着され、且つ、第二の分割体１８の内面３０と外面２４とが両面テープにより接着されている。
【００３２】
外側グリップ部材１２を内側グリップ部材１０のシャフト挿入部１４に貼り付ける手順は、例えば次の通りである。
（１ｂ）第一の分割体１６の内面２８に両面テープを貼り付ける。また、第二の分割体１８の内面３０に両面テープを貼り付ける。
（２ｂ）第一の分割体１６及び第二の分割体１８のいずれか一方をシャフト挿入部１４に貼り付ける
（３ｂ）第一の分割体１６及び第二の分割体１８の他方をシャフト挿入部１４に貼り付ける。このとき段差部２０と段差部２２とを噛み合わせる。
【００３３】
上記工程（２ｂ）及び（３ｂ）において、グリップエンド側端４４は第一凹部３６に挿入され、ヘッド側端４６は第二凹部４２に挿入される。第一凹部３６への挿入は、第一円筒部３４をめくり上げつつなされる。第二凹部４２への挿入は、第二円筒部４０をめくり上げつつなされる。
【００３４】
内側グリップ部材１０は、取り外し可能な状態でシャフト挿入部１４の外面２４に装着されている。換言すれば、第一の分割体１６が取り外し可能な状態でシャフト挿入部１４の外面２４に装着され、且つ、第二の分割体１８が取り外し可能な状態でシャフト挿入部１４の外面２４に装着されている。第一の分割体１６の取り外し方法は、次の通りである。第一円筒部３４又は第二円筒部４０をめくり上げ、グリップエンド側端４４又はヘッド側端４６を引っ張ることにより、第一の分割体１６が取り外される。第二の分割体１８の取り外し方法は、第一の分割体１６と同様である。このように、第一の分割体１６及び第二の分割体１８の取り外しは、容易である。取り外された第一の分割体１６及び第二の分割体１８は、再利用可能である。第一の分割体１６及び第二の分割体１８は、再利用可能な状態で取り外されうる。
【００３５】
第一の分割体１６及び第二の分割体１８が剥がされた後、シャフト挿入部１４の外面２４に両面テープが残留することがある。交換用の外側グリップ部材１２が貼り付けられるようにする目的で、外面２４に残留した両面テープは、除去される。
【００３６】
このように、第一の分割体１６及び第二の分割体１８は、取り外し可能とされている。重量の異なる分割体１６、１８に交換されることにより、クラブの重心位置やクラブバランスが調整されうる。分割体１６、１８の比重が変更されることにより、重量の変更が容易とされる。分割体１６、１８の比重が変更されることにより、分割体１６、１８の厚さを変更することなく、グリップ８の重量を変更することができる。プレーヤー毎に最適なグリップ８の太さが存在する。グリップ８の太さが変更されることは、プレーヤーにとって不都合な場合がある。分割体１６、１８の比重が変更されることにより、グリップ８の太さを変更することなく、グリップ８の重量を変更することができる。また、分割体１６、１８の厚さが変更されることにより、グリップ８の太さを変更することができる。
【００３７】
取り外し可能な外側グリップ部材１２は、上記以外にも多くのメリットを有する。使用によりグリップ８が摩滅又は損傷した場合、外側グリップ部材１２のみを交換すれば済む。これにより、従来と比較してグリップ交換が容易となる。また第一の分割体１６又は第二の分割体１８の一方のみが摩滅等した場合、その一方のみの交換で済む。また、硬度の異なる分割体１６、１８に交換されることにより、グリップの感触や握り具合を変化させることができる。
【００３８】
全体が一体である従来のグリップにおいてグリップを取り外す場合、グリップを切断（破壊）しつつ取り外すのであれば、グリップ交換の手間は比較的少ない。しかし、再利用可能な状態でグリップを取り外すためには、多くの労力が必要であった。換言すれば、グリップを破壊することなく取り外すためには、多くの労力が必要であった。従来、再利用可能な状態でグリップを取り外す取り外し工程は、例えば次の通りとされていた。
（１ｃ）グリップの装着されたシャフトを万力等で挟んで固定する。
（２ｃ）ホワイトガソリン等の溶剤を注射器に仕込み、注射針をグリップに差し込み、溶剤をグリップとシャフトとの間に注入する。
（３ｃ）グリップにおける多数の箇所に注射針を差し込み上記（２ｃ）の作業を繰り返すとともに、グリップをツイストさせて、溶剤がグリップ−シャフト境界面の全体に行き渡るようにする。
（４ｃ）溶剤が行き渡り、グリップがシャフトから取り外される状態となったことを確認した後、グリップをシャフトから引き抜く。
【００３９】
これらの工程のうち、特に工程（３ｃ）は難しい。取り外す前のグリップはシャフトに密着しているから、単に注射器で溶剤を注入しただけでは、溶剤は簡単には行き渡らない。溶剤を多数箇所に注入し、且つ外力を加えて、グリップ−シャフト境界面の全体に溶剤を行き渡させる作業が必要となる。特に、使用年数が多いゴルフクラブの場合、グリップとシャフトとの密着度合いが高いので、溶剤を行き渡らせる作業は困難性が高い。このような取り外し工程には、多くの道具と熟練とが必要である。
【００４０】
これに対して、本発明に係るグリップは、外側グリップ部材１２の取り外しが容易である。本発明に係るグリップでは、外側グリップ部材１２を破壊することなく外側グリップ部材１２を取り外すことが容易である。外側グリップ部材１２は、再利用可能な状態で取り外せるように構成されている。この外側グリップ部材１２の取り外し作業には、上記工程（１ｃ）から（４ｃ）で必要とされるような熟練や手間を要しない。また、外側グリップ部材１２の取り外しにおいては、溶剤が不要とされるため環境に優しく、作業者の健康にもよい。
【００４１】
従来のグリップ交換では、グリップが取り外された後、再度、新たなグリップを装着する必要がある。このグリップ装着の工程は、例えば、前述した工程（１ａ）から工程（３ａ）である。これらの工程は、外側グリップ部材１２の交換においては不要である。
【００４２】
内側グリップ部材１０の材質は限定されない。好ましくは、内側グリップ部材１０の材質は、ゴムである。このゴムとして、天然ゴム（比重０．９１〜０．９３）、スチレンブタジエンゴム（比重０．９２〜０．９７）、ＥＰＤＭ（比重０．８６〜０．８７）、イソプレンゴム（０．９２〜０．９３）及びこれらの混合物が例示される。成形性の観点から、ＥＰＤＭ（エチレンプロピレンジエンゴム）及びＳＢＲ（スチレンブタジエンゴム）が好ましい。内側グリップ部材１０がゴムである場合、第一円筒部３４及び第二円筒部４０のめくり上げが可能である。
【００４３】
外側グリップ部材１２の材質は限定されない。好ましくは、外側グリップ部材１２の材質は、ゴムである。このゴムとして、天然ゴム（比重０．９１〜０．９３）、スチレンブタジエンゴム（比重０．９２〜０．９７）、ＥＰＤＭ（比重０．８６〜０．８７）、イソプレンゴム（０．９２〜０．９３）及びこれらの混合物が例示される。成形性の観点から、ＥＰＤＭ（エチレンプロピレンジエンゴム）及びＳＢＲ（スチレンブタジエンゴム）が好ましい。重量調整を容易とする観点から、比重１０以上の金属粉末が配合されたゴムが好ましく、比重１５以上の金属粉末が配合されたゴムがより好ましい。金属粉末として、タングステン合金の粉末が例示される。
【００４４】
内側グリップ部材１０と外側グリップ部材１２とを接着する両面テープの具体例として、日東電工社製の商品名「Ｎｏ．５１３１Ｎ」及び商品名「Ｎｏ．５０００ＮＳ」が挙げられる。接着後の剥離が容易である観点から、「Ｎｏ．５０００ＮＳ」がより好ましい。
【００４５】
内側グリップ部材１０と外側グリップ部材１２との接着において、両面テープ以外に、スプレー式又は液状の粘着剤が用いられうる。外側グリップ部材１２の取り外しが容易である観点から、両面テープが好ましい。
【００４６】
好ましくは、上記外側グリップ部材が２種以上用意され、これらの外側グリップ部材は互いに比重又は硬度が異なる。この場合、外側グリップ部材１２を交換することにより、クラブバランスや握り具合等を変更することができる。よって、使用者の好み、耐力、プレー時の調子等に合わせてグリップを調整することができる。
【００４７】
図３において両矢印ｔ１で示されているのは、内側グリップ部材１０の厚さである。シャフト挿入の際における耐久性の観点から、厚さｔ１は、１．００ｍｍ以上が好ましく、１．２０ｍｍ以上がより好ましく、１．２５ｍｍ以上が更に好ましい。厚さｔ１が大きすぎる場合、外側グリップ部材１２が過度に薄くなり、握った際のフィーリングが損なわれる場合がある。この観点から、厚さｔ１は、２．５０ｍｍ以下が好ましく、２．００ｍｍ以下がより好ましく、１．９０ｍｍ以下が更に好ましい。なお厚さｔ１は、シャフト６の半径方向に沿って測定される。
【００４８】
図３において両矢印ｔ２で示されているのは、外側グリップ部材１２の厚さである。取り外す際における耐久性の観点から、厚さｔ２は、０．９０ｍｍ以上が好ましく、０．９５ｍｍ以上がより好ましく、１．００ｍｍ以上が更に好ましい。グリップの太さを適切とする観点から、内側グリップ部材１０と外側グリップ部材１２との合計厚さは３．５ｍｍ以下とされるのがよい。この観点から、厚さｔ２は、１．６０ｍｍ以下が好ましく、１．５５ｍｍ以下がより好ましく、１．５０ｍｍ以下が更に好ましい。なお厚さｔ２は、シャフト６の半径方向に沿って測定される。
【００４９】
図３において両矢印Ｄで示されているのは、第一凹部３６及び第二凹部４２の深さである。グリップエンド側端４４及びヘッド側端４６に対する保護性を高めて外側グリップ部材１２の剥がれを抑制する観点から、深さＤは、５ｍｍ以上が好ましく、５．５ｍｍ以上がより好ましく、６ｍｍ以上が更に好ましい。外側グリップ部材１２の取り外しを容易とする観点から、深さＤは、２０ｍｍ以下が好ましく、１９ｍｍ以下がより好ましく、１８ｍｍ以下が更に好ましい。なお深さＤは、シャフト軸線方向に沿って測定される。
【００５０】
図３において両矢印Ｗで示されているのは、第一凹部３６及び第二凹部４２の隙間幅である。外側グリップ部材１２を挿入しやすくする観点から、隙間幅Ｗは、０．９０ｍｍ以上が好ましく、０．９５ｍｍ以上がより好ましく、１．００ｍｍ以上が更に好ましい。外側グリップ部材１２を挿入した際に過度の隙間が生じると、グリップエンド側端４４及びヘッド側端４６に対する保護性が低下しやすい。この保護性を高める観点から、隙間幅Ｗは、１．６０ｍｍ以下が好ましく、１．５５ｍｍ以下がより好ましく、１．５０ｍｍ以下が更に好ましい。なお隙間幅Ｗは、シャフト６の半径方向に沿って測定される。
【００５１】
図３において両矢印Ｔで示されているのは、第一円筒部３４及び第二円筒部４０の厚さである。めくり上げに対する耐久性の観点から、厚さＴは、２．５０ｍｍ以上が好ましく、２．６０ｍｍ以上がより好ましく、２．７０ｍｍ以上が更に好ましい。めくり上げを容易とし、外側グリップ部材１２の取り外しを容易とする観点から、厚さＴは、４．００ｍｍ以下が好ましく、３．９０ｍｍ以下がより好ましく、３．８０ｍｍ以下が更に好ましい。なお厚さＴは、シャフト６の半径方向に沿って測定される。
【００５２】
図３において両矢印Ｙで示されているのは、外側グリップ部材１２の端部のうち第一円筒部３４及び第二円筒部４０で覆われている部分の長さである。外側グリップ部材１２のめくれにくさの観点から、長さＹは、３ｍｍ以上が好ましく、４ｍｍ以上がより好ましく、５ｍｍ以上が更に好ましい。凹部３６、４２に対する外側グリップ部材１２の挿入しやすさの観点、及び、外側グリップ部材１２の取り外し容易性の観点から、長さＹは、１５ｍｍ以下が好ましく、１４ｍｍ以下がより好ましく、１３ｍｍ以下が更に好ましい。なお長さＹは、シャフト軸線方向に沿って測定される。
【００５３】
図４において両矢印Ｌで示されているのは、第一の分割体１６と第二の分割体１８との重複部の幅である。分割体１６、１８のめくれ上がりを抑制する観点から、幅Ｌは１．５ｍｍ以上が好ましく、１．５５ｍｍ以上がより好ましく、１．６０ｍｍ以上が更に好ましい。一方、重複部において、第一の分割体１６の厚さ及び第二の分割体１８の厚さは、薄い。この薄い部分の耐久性は低下しやすい。重複部の耐久性を高める観点から、幅Ｌは、２．５０ｍｍ以下が好ましく、２．４５ｍｍ以下がより好ましく、２．４０ｍｍ以下が更に好ましい。
【産業上の利用可能性】
【００５４】
本発明は、あらゆるゴルフクラブのグリップに適用されうる。このゴルフクラブとして、ウッド型ゴルフクラブ、アイアン型ゴルフクラブ及びパタークラブが例示される。
【図面の簡単な説明】
【００５５】
【図１】図１は、本発明の一実施形態に係るゴルフクラブの全体図である。
【図２】図２は、図１のゴルフクラブにおけるグリップ付近の拡大図である。
【図３】図３は、シャフト軸線に沿った図２の断面図である。
【図４】図４は、図２のIV−IV線に沿った断面図である。
【図５】図５は、第一の分割体の斜視図である。
【符号の説明】
【００５６】
２・・・ゴルフクラブ
４・・・ヘッド
６・・・シャフト
８・・・グリップ
１０・・・内側グリップ部材
１２・・・外側グリップ部材
１４・・・シャフト挿入部
１６・・・第一の分割体
１８・・・第二の分割体
２０、２２・・・段差部
２４・・・シャフト挿入部の外面
２６・・・外側グリップ部材の内面
２８・・・第一の分割体の内面
３０・・・第二の分割体の内面
３２・・・第一環状部
３４・・・第一円筒部
３６・・・第一凹部
３８・・・第二環状部
４０・・・第二円筒部
４２・・・第二凹部
４４・・・外側グリップ部材のグリップエンド側端
４６・・・外側グリップ部材のヘッド側端
【図１】
2009066272.tif 000003
【図２】
2009066272.tif 000004
【図３】
2009066272.tif 000005
【図４】
2009066272.tif 000006
【図５】
2009066272.tif 000007